(57)【要約】【課題】監視領域を監視していない場合には利用者に監視していないことを明示することができるとともに、監視が開始された場合のレンズや監視カメラ全体の遮蔽を解除された際に絞り調整によるタイムラグが発生しない撮像装置を提供する。【解決手段】レンズ遮蔽部１０５は、監視領域の映像を取込むレンズを遮蔽または開放し、照度センサ１０１は、レンズ遮蔽部１０５の外部に設置され、監視領域の照度を検知し、絞り調整部１０２は、照度センサ１０１によって検知された照度に基づいてレンズの絞りを調整する。【選択図】        図１
2008085572.tif 000002
【特許請求の範囲】
【請求項１】
監視領域の映像を取込むレンズを遮蔽または開放する遮蔽手段と、
前記遮蔽手段の外部に設置され、前記監視領域の照度を検知する照度センサと、
前記遮蔽手段によって前記レンズを遮蔽している場合に、前記照度センサによって検知された前記照度に基づいて前記レンズの絞りを調整する絞り調整手段と、
を備えることを特徴とする撮像装置。
【請求項２】
監視領域の映像を取込むレンズを遮蔽または開放するとともに、半透明の部材を含む遮蔽手段と、
前記遮蔽手段によって前記レンズを遮蔽した際に、前記半透明の部材を通過する光を検知した照度に基づいて前記レンズの絞りを調整する絞り調整手段と、
を備えることを特徴とする撮像装置。
【請求項３】
監視領域の映像を取込むレンズを遮蔽または開放するとともに、前記レンズに対向する領域を除いた領域に開口部を備える遮蔽手段と、
前記遮蔽手段によって前記レンズを遮蔽した際に、前記開口部から入射する光を検知した照度に基づいて前記レンズの絞りを調整する絞り調整手段と、
を備えることを特徴とする撮像装置。
【請求項４】
前記遮蔽手段は、当該遮蔽手段の内面を光の反射率の高い色にしたこと、を特徴とする請求項３に記載の撮像装置。
【請求項５】
ブラインド状の複数の部材を備え、監視領域の映像を取込むレンズを前記複数の部材が前記レンズの光軸に対して所定の角度に傾くことによって遮蔽、または前記複数の部材が前記光軸に対して平行となることによって開放する遮蔽手段と、
前記遮蔽手段によって前記レンズを遮蔽した際に、前記複数の部材間を通過する光を検知した照度に基づいて前記レンズの絞りを調整する絞り調整手段と、
を備えることを特徴とする撮像装置。
【請求項６】
前記遮蔽手段は、１の板状部材であること、を特徴とする請求項５に記載の撮像装置。
【請求項７】
前記遮蔽手段は、当該撮像装置全体を隠蔽すること、を特徴とする請求項１〜６のいずれか一つに記載の撮像装置。
【発明の詳細な説明】
【技術分野】
【０００１】
本発明は、監視領域を撮像する撮像装置に関するものであり、特に撮像時におけるタイムラグの削減に関する。
【背景技術】
【０００２】
従来、監視領域での犯罪等を監視するため、常時または必要に応じて監視領域を撮像する監視カメラが一般に知られている。このような監視カメラは、異常時にのみ監視領域を撮像するものであっても、監視領域に居る人にプライバシーが侵害されているという不安感や、監視カメラで常に監視されているという緊張感を与えてしまうという問題があった。
【０００３】
このような問題を解決するものとして、監視カメラのレンズを遮蔽する遮蔽手段を備える警備装置が開示されている（特許文献１参照）。かかる警備装置では、監視領域を撮像しない時にはレンズまたは監視カメラ全体をカバーで覆うことによって、監視領域内の人から見えないようにしてプライバシーを侵害していないことを明示している。
【０００４】
【特許文献１】特開２００６−４１１６号公報
【発明の開示】
【発明が解決しようとする課題】
【０００５】
しかしながら、上記特許文献１に記載された技術では、レンズや監視カメラ全体を遮蔽した場合、内部に光が入らないため、被写体の明るさに従ってレンズの絞りを調整する機能（オートアイリス機能）を有する監視カメラが絞りを自動調整すると、外部との明るさと差異が生じてしまう。よって、異常時に監視領域を撮像するために遮蔽手段であるカバーを開くと、外部の明るさに合わせて改めて絞りが調整され、鮮明な画像を撮像するまでにタイムラグが発生するという問題があった。
【０００６】
本発明は、上記に鑑みてなされたものであって、監視領域を監視していない場合には利用者に監視していないことを明示することができるとともに、監視が開始された場合のレンズや監視カメラ全体の遮蔽を解除された際に絞り調整によるタイムラグが発生しない撮像装置を提供することを目的とする。
【課題を解決するための手段】
【０００７】
上述した課題を解決し、目的を達成するために、請求項１にかかる発明は、監視領域の映像を取込むレンズを遮蔽または開放する遮蔽手段と、前記遮蔽手段の外部に設置され、前記監視領域の照度を検知する照度センサと、前記遮蔽手段によって前記レンズを遮蔽している場合に、前記照度センサによって検知された前記照度に基づいて前記レンズの絞りを調整する絞り調整手段と、を備えることを特徴とする。
【０００８】
また、請求項２にかかる発明は、監視領域の映像を取込むレンズを遮蔽または開放するとともに、半透明の部材を含む遮蔽手段と、前記遮蔽手段によって前記レンズを遮蔽した際に、前記半透明の部材を通過する光を検知した照度に基づいて前記レンズの絞りを調整する絞り調整手段と、を備えることを特徴とする。
【０００９】
また、請求項３にかかる発明は、監視領域の映像を取込むレンズを遮蔽または開放するとともに、前記レンズに対向する領域を除いた領域に開口部を備える遮蔽手段と、前記遮蔽手段によって前記レンズを遮蔽した際に、前記開口部から入射する光を検知した照度に基づいて前記レンズの絞りを調整する絞り調整手段と、を備えることを特徴とする。
【００１０】
また、請求項４にかかる発明は、請求項３に記載の撮像装置において、前記遮蔽手段は、当該遮蔽手段の内面を光の反射率の高い色にしたこと、を特徴とする。
【００１１】
また、請求項５にかかる発明は、ブラインド状の複数の部材を備え、監視領域の映像を取込むレンズを前記複数の部材が前記レンズの光軸に対して所定の角度に傾くことによって遮蔽、または前記複数の部材が前記光軸に対して平行となることによって開放する遮蔽手段と、前記遮蔽手段によって前記レンズを遮蔽した際に、前記複数の部材間を通過する光を検知した照度に基づいて前記レンズの絞りを調整する絞り調整手段と、を備えることを特徴とする。
【００１２】
また、請求項６にかかる発明は、請求項５に記載の撮像装置において、前記遮蔽手段は、１の板状部材であること、を特徴とする。
【００１３】
また、請求項７にかかる発明は、請求項１〜６のいずれか一つに記載の撮像装置において、前記遮蔽手段は、当該撮像装置全体を隠蔽すること、を特徴とする。
【発明の効果】
【００１４】
本発明によれば、レンズ遮蔽手段によってレンズが遮蔽されている場合でも、監視領域の照度を検知し、検知した照度で絞りを調整することができるため、レンズ遮蔽手段が開放された際に絞り調整のためのタイムラグが発生することなく、監視領域を撮像することができるという効果を奏する。
【００１５】
また、本発明によれば、レンズ遮蔽手段によってレンズが遮蔽されている場合であっても、監視領域の光量を取得することができ、取得された光量で絞りが調整されているため、レンズ遮蔽手段が開放された際に絞り調整のためのタイムラグが発生することなく、監視領域を撮像することができるという効果を奏する。
【００１６】
また、本発明によれば、レンズ遮蔽手段の内面を光の反射率が高い色にしたため、開口部から入射した光が効率よく反射されて、監視領域の光量を取得することができるという効果を奏する。
【発明を実施するための最良の形態】
【００１７】
以下に添付図面を参照して、本発明にかかる撮像装置の最良な実施の形態を詳細に説明する。なお、本発明はこれらの実施の形態に限定されるものではない。
【００１８】
（第１の実施の形態）
第１の実施の形態について、添付図面を参照して説明する。第１の実施の形態にかかる撮像装置は、レンズが遮蔽されている際に、遮蔽部の外部の照度を取得し、取得した外部の照度によって絞りを調整する。
【００１９】
まず、本発明が適用される撮像装置の構成例について説明する。図１は、第１の実施の形態にかかる撮像装置の構成を示すブロック図である。本実施の形態にかかる撮像装置１００は、照度センサ１０１と、絞り調整部１０２と、レンズ１０３と、照度取得部１０４と、レンズ遮蔽部１０５とを備えている。
【００２０】
照度センサ１０１は、レンズ遮蔽部１０５の外部に設置され、撮像装置１００が撮像する監視領域の明るさ、すなわち照度を検知する。なお、照度センサには、フォトトランジスタやフォトダイオード等を用いたものがある。照度取得部１０４は、照度センサ１０１によって検知された照度を取得する。絞り調整部１０２は、照度取得部１０４によって取得された照度に応じて、絞りを調整する。
【００２１】
レンズ１０３は、監視領域の映像を取込む。ここで、取込まれた監視領域の映像は、図示しないＣＣＤ（Charg Coupled Device）やＣＭＯＳ（Complementary Metal Oxide Semiconductor）イメージセンサなどの撮像素子によって電気信号に変換され、画像情報として入力される。入力された画像情報は、記憶部に記憶されたり、警備装置２００を介して図示しない監視センタに送信される。
【００２２】
レンズ遮蔽部１０５は、レンズ１０３または撮像装置１００全体を覆うように設置されている。レンズ遮蔽部１０５は、警備装置２００とネットワークを介して接続されている。レンズ遮蔽部１０５は、警備装置２００の制御によって利用者から目視できないように遮蔽され、撮像装置１００が監視領域を撮像できるように開放される。
【００２３】
次に、上述したように構成されている撮像装置１００による絞り調整処理について説明する。図２は、照度取得部、絞り調整部が行う絞り調整処理手順を示すフローチャートである。なお、撮像装置１００は、レンズ遮蔽部１０５によって遮蔽されていても、レンズ遮蔽部１０５が開放されていても、監視領域を撮像しているものとする。
【００２４】
まず、照度取得部１０４は、照度センサ１０１が検知した照度を取得する（ステップＳ２０１）。これにより、レンズ遮蔽部１０５の外部、すなわち監視領域の照度を取得することができるため、レンズ遮蔽部１０５が遮蔽されている場合も、開放されている場合も、撮像装置１００が撮像する監視領域の照度を得ることができる。
【００２５】
絞り調整部１０２は、取得された照度に応じて絞りを調整する（ステップＳ２０２）。これにより、レンズ遮蔽部１０５が警備装置２００の制御によってどのようなタイミングで開放されても、レンズの絞りは、既に監視領域の明るさで調整されているため、レンズ遮蔽部１０５が開放された時に絞りを調整するタイムラグが発生しない。なお、通常撮像対象の明るさが大きく変化した場合に自動絞り調整機能を用いて絞りを調整するためのタイムラグは、１秒程度である。しかしながら、異常の検知等によって撮像を開始した直後には、犯人等の重要な画像が撮像されることも多く、タイムラグの削減は警備上の重要な課題である。
【００２６】
なお、上述した説明では、レンズ遮蔽部１０５がレンズを遮蔽している場合およびレンズ遮蔽部１０５が開放されている場合のいずれにおいても、レンズ遮蔽部１０５の外部に設置された照度センサ１０１によって検知された照度を用いた処理について説明したが、レンズ遮蔽部１０５が遮蔽されている場合にのみ、照度センサ１０１が検知した照度を用い、レンズ遮蔽部１０５が開放されている場合は、照度センサ１０１が検知した照度を用いず、撮像装置１００に内蔵された自動絞り調整機能によって絞りを調整するようにしてもよい。
【００２７】
（第２の実施の形態）
第２の実施の形態について、添付図面を参照して説明する。第２の実施の形態にかかる撮像装置は、レンズ遮蔽部が遮蔽されている場合においても、レンズ遮蔽部の内部で監視領域の明るさを検知する。
【００２８】
本発明が適用される撮像装置の構成例について、第１の実施の形態と異なる部分を説明する。他の部分については第１の実施の形態と同様であるので、上述した説明を参照し、ここでの説明を省略する。図３は、第２の実施の形態にかかる撮像装置の構成を示すブロック図である。
【００２９】
本実施の形態の撮像装置３００は、絞り調整部３０２と、レンズ１０３と、レンズ遮蔽部３０５とを備えている。ここで、レンズ１０３の構成、機能は、第１の実施の形態と同様であるので、説明を省略する。
【００３０】
絞り調整部３０２は、監視領域の照度を検知し、検知した照度に応じて、レンズの絞りを調整する。絞り調整部３０２は、上述した照度センサ１０１と照度取得部１０４と絞り調整部１０２の機能を備えている。なお、絞り調整部３０２は、通常の監視カメラに備えられた自動絞り機能であってもよい。
【００３１】
レンズ遮蔽部３０５は、上述した機能、構成を備え、レンズ１０３または撮像装置１００全体を覆うように設置されている。図４は、遮蔽時または非遮蔽時のレンズ遮蔽部の一例を示す平面図である。図４に示すように、撮像装置３００のレンズ１０３は、レンズ遮蔽部３０５に覆われている。レンズ遮蔽部３０５は、半透明であるため、遮蔽されている場合は、利用者はレンズ遮蔽部３０５の内部のレンズ１０３を目視することはできない。しかし、半透明のレンズ遮蔽部３０５は、監視領域の光を内部に透過するため、絞り調整部３０２によって照度が検知され、監視領域の照度で絞り調整をすることができる。これにより、非遮蔽時に示すように、レンズ遮蔽部３０５が開放された場合に、監視領域の照度で絞りが調整されているため、絞り調整のためのタイムラグを生じることなく、監視領域を撮像することができる。なお、レンズ遮蔽部３０５は、レンズ１０３に対向する部材のみが半透明であってもよい。
【００３２】
また、図５は、遮蔽時または非遮蔽時のレンズ遮蔽部の一例を示す側面図である。図５に示すような撮像装置３００においても、レンズ遮蔽部３０５は半透明であるため、遮蔽時には利用者が目視することはできず、監視領域の照度を検知することができ、非遮蔽時には絞り調整のタイムラグを生じることなく、監視領域を撮像することができる。
【００３３】
他の例として、開口部を有するレンズ遮蔽部３０５について説明する。図６は、遮蔽時または非遮蔽時のレンズ遮蔽部の一例を示す平面図である。図６に示すレンズ遮蔽部３０５は、レンズ１０３に対向しない位置に開口部を設けている。これにより、レンズ遮蔽部３０５は、遮蔽時には利用者がレンズ１０３を目視することはできないが、開口部から入射する光によって、監視領域の照度を検知することができる。また、レンズ遮蔽部３０５の裏面は白色にすることにより、監視領域の照度をより正確に検知することができる。
【００３４】
また、図７は、遮蔽時または非遮蔽時のレンズ遮蔽部の一例を示す側面図である。図７に示す場合も同様に、レンズ遮蔽部３０５の開口部から入射する光により照度を検知することができ、非遮蔽時には絞り調整のタイムラグを生じることなく、監視領域を撮像することができる。
【００３５】
さらに、他の例として、ブラインド状のレンズ遮蔽部３０５について説明する。図８は、遮蔽時または非遮蔽時のレンズ遮蔽部の一例を示す側面図である。図８に示すレンズ遮蔽部３０５は、ブラインド状の複数の板の角度を変化させることによって、レンズ遮蔽部３０５を遮蔽または開放する。レンズ遮蔽部３０５は、遮蔽時にはブラインド状の板を所定の角度、例えばレンズの光軸に対して４５°傾けることにより、利用者がレンズ部１０３を目視することはできないが、ブラインド状の板の間から入射する光により照度を感知することができる。
【００３６】
また、レンズ遮蔽部３０５を複数の板状部材ではなく、１枚の板状部材で構成しても同様の効果が得られる。
【００３７】
以上、本発明を第１および第２の実施の形態を用いて説明してきたが、上述した実施の形態に多様な変更または改良を加えることができる。また、上述した第１の実施の形態、第２の実施の形態において説明した構成や機能は、自由に組み合わせることができる。
【図面の簡単な説明】
【００３８】
【図１】第１の実施の形態にかかる撮像装置の構成を示すブロック図である。
【図２】照度取得部、絞り調整部が行う絞り調整処理手順を示すフローチャートである。
【図３】第２の実施の形態にかかる撮像装置の構成を示すブロック図である。
【図４】遮蔽時または非遮蔽時のレンズ遮蔽部の一例を示す平面図である。
【図５】遮蔽時または非遮蔽時のレンズ遮蔽部の一例を示す側面図である。
【図６】遮蔽時または非遮蔽時のレンズ遮蔽部の一例を示す平面図である。
【図７】遮蔽時または非遮蔽時のレンズ遮蔽部の一例を示す側面図である。
【図８】遮蔽時または非遮蔽時のレンズ遮蔽部の一例を示す側面図である。
【符号の説明】
【００３９】
１００  ３００  撮像装置
１０１  照度センサ
１０２  ３０２  絞り調整部
１０３  レンズ
１０４  照度取得部
１０５  ３０５  レンズ遮蔽部
２００  警備装置
【図１】
2008085572.tif 000003
【図２】
2008085572.tif 000004
【図３】
2008085572.tif 000005
【図４】
2008085572.tif 000006
【図５】
2008085572.tif 000007
【図６】
2008085572.tif 000008
【図７】
2008085572.tif 000009
【図８】
2008085572.tif 000010